(57)【要約】【課題】本発明は、回路基板に安定に固着される端子を有し、同じ構造で製造される雌コネクタと雄コネクタとを備えるコネクタ組立体を提供することを目的とする。【解決手段】本発明のコネクタ組立体は、コネクタと、前記コネクタと嵌合可能な相手側コネクタとを備える。前記コネクタは、縦方向に沿って延在する第１側壁及び第２側壁と、前記第１側壁と第２側壁との間に形成されるスロットと、前記縦方向と直交する横方向に沿って延在し、前記スロットに連通する複数の端子溝と、を有する本体と、前記本体に取り付けられる複数の端子グループと、を備える。前記各端子グループは複数の端子を有する。前記各端子グループの複数の端子のうちの一つの予定端子は、前記スロットに向かって露出される接触部と、前記接触部の対向する両側から延在する一対の半田接続部と、を有する。前記一対の半田接続部がそれぞれ、前記第１側壁及び第２側壁から延出する。【選択図】図６
2015211031.tif 000002
【特許請求の範囲】
【請求項１】
コネクタと、前記コネクタと嵌合可能な相手側コネクタと、を備えるコネクタ組立体において、前記コネクタは、
縦方向に沿って延在する第１側壁及び第２側壁と、前記第１側壁と第２側壁との間に形成されるスロットと、前記縦方向と直交する横方向に沿って延在し、前記スロットに連通する複数の端子溝と、を有する本体と、
前記本体に取り付けられる複数の端子グループと、
を備え、前記各端子グループは複数の端子を有し、前記各端子グループの複数の端子のうちの一つの予定端子は、前記スロットに向かって露出される接触部と、前記接触部の対向する両側から延在する一対の半田接続部と、を有し、前記一対の半田接続部がそれぞれ、前記第１側壁及び第２側壁から延出することを特徴とするコネクタ組立体。
【請求項２】
前記予定端子は接地端子であり、前記各端子グループは、前記接地端子と同じ側に配置される一対の信号端子を有し、各信号端子は、前記スロットに向かって露出される信号側接触部と、前記第２側壁から延出する一つの信号側半田接続部と、を有することを特徴とする請求項１に記載のコネクタ組立体。
【請求項３】
前記各予定端子の接触部は、前記相手側コネクタと接触するための第１接触点を有する第１可撓部と、前記相手側コネクタと接触するための第２接触点及び第３接触点を有する第２可撓部と、前記第１可撓部及び第２可撓部を連接する連接部と、を有し、前記第１可撓部が、前記第２側壁の内側に当接することを特徴とする請求項１に記載のコネクタ組立体。
【請求項４】
前記コネクタの本体は前記第２側壁に連接される階段部を備え、前記第１側壁には前記階段部に隣接する傾斜面が設けられ、前記第２側壁には前記階段部に隣接する導入面が設けられ、前記相手側コネクタは前記コネクタの構造と同じ構造を備えることを特徴とする請求項１に記載のコネクタ組立体。
【請求項５】
前記コネクタ組立体は複数の半田接続片グループが設けられる回路基板を備え、各半田接続片グループは、前記接地端子の一対の半田接続部の間の距離に対応する寸法で設置される接地側半田接続片を有することを特徴とする請求項２に記載のコネクタ組立体。
【発明の詳細な説明】
【技術分野】
【０００１】
本発明は、コネクタ組立体に関し、特に、高速ビッドで最適な信号伝送を実現することができる雌コネクタ及び雄コネクタを備えたコネクタタ組立体に関するものである。
【背景技術】
【０００２】
従来の同じ構造で設置される雌コネクタ及び雄コネクタにおいて、前記雌コネクタは、側壁が設けられる本体と、前記本体に固着される複数の端子とを備える。各端子は、前記側壁に支持される接触部と、回路基板に半田接続される一つの半田接続部とを備える。
【先行技術文献】
【特許文献】
【０００３】
【特許文献１】米国特許出願公開第２０１３／０１４９９０８号明細書
【発明の概要】
【発明が解決しようとする課題】
【０００４】
従来技術の端子は、一つの半田接続部だけで回路基板に半田接続され、回路基板に不安定に固定される。
【０００５】
そこで、本発明の目的は、回路基板に安定に固着される端子を有し、同じ構造で製造される雌コネクタと雄コネクタとを備えるコネクタ組立体を提供することにある。
【課題を解決するための手段】
【０００６】
前記目的を達成するために、本発明のコネクタ組立体コネクタは、コネクタと、前記コネクタと嵌合可能な相手側コネクタと、を備える。前記コネクタは、縦方向に沿って延在する第１側壁及び第２側壁と、前記第１側壁と第２側壁との間に形成されるスロットと、前記縦方向と直交する横方向に沿って延在し、前記スロットに連通する複数の端子溝と、を有する本体と、前記本体に取り付けられる複数の端子グループと、を備える。前記各端子グループは複数の端子を有する。前記各端子グループの複数の端子のうちの一つの予定端子は、前記スロットに向かって露出される接触部と、前記接触部の対向する両側から延在する一対の半田接続部と、を有する。前記一対の半田接続部がそれぞれ、前記第１側壁及び第２側壁から延出する。
【発明の効果】
【０００７】
従来の技術と比べると、本発明は以下の長所を有する。本発明の前記各予定端子には、一対の半田接続部が設置される。一つの半田接続部に比べて、一対の半田接続部は、回路基板に更に固着される。この端子を有するコネクタは、回路基板に安定に固着される。
【図面の簡単な説明】
【０００８】
【図１】本発明のコネクタ組立体の雌コネクタ、雄コネクタ、第１回路基板、及び第２回路基板の斜視図である。
【図２】本発明のコネクタ組立体の雌コネクタ及び雄コネクタの組立斜視図である。
【図３】本発明の雌コネクタ及び雄コネクタの斜視図である。
【図４】本発明の雌コネクタ及び雄コネクタの分解斜視図である。
【図５】図４に示す雌コネクタ及び雄コネクタを別の角度から見た組立図である。
【図６】図２に示す雌コネクタ及び雄コネクタのＡ−Ａ線に沿った断面図である。
【図７】図２に示す雌コネクタ及び雄コネクタのＢ−Ｂ線に沿った断面図である。
【発明を実施するための形態】
【０００９】
図１〜図７に示すように、本発明のコネクタ組立体１００は、第１回路基板２０と、第１回路基板２０に接続される雌コネクタ１０と、第２回路基板４０と、第２回路基板４０に接続される雄コネクタ３０と、を備える。雄コネクタ３０は、雌コネクタ１０と嵌合可能であり、雌コネクタ１０の構造と同じ構造を備える。第２回路基板４０は、第１回路基板２０の構造と同じ構造を備える。
【００１０】
雌コネクタ１０は、雌側本体１１と、複数の雌側端子グループと、を備える。雌側本体１１は、縦方向に沿って延在する第１雌側側壁１１１と、第２雌側側壁１１２と、第１雌側側壁１１１と第２雌側側壁１１２との間に形成される雌側スロット１１３と、縦方向と直交する横方向に沿って延在し、雌側スロット１１３に連通する複数の雌側端子溝１１４と、を有する。雌コネクタ１０の雌側本体１１は、第２雌側側壁１１２に連接される雌側階段部１１５を備える。第１雌側側壁１１１には、雌側階段部１１５に隣接する雌側傾斜面１１６が設けられる。第２雌側側壁１１２には雌側階段部１１５に隣接する雌側導入面１１７が設けられる。
【００１１】
各雌側端子グループは、一つの雌側接地端子２２と、雌側接地端子２２と同じ側に配置される一対の雌側信号端子２１と、を有する。雌側接地端子２２は、雌側スロット１１３に向かって露出される雌接地側接触部２２１と、接地側接触部２２１の対向する両側から延在し、第１雌側側壁１１１及び第２雌側側壁１１２から延出する一対の雌接地側半田接続部２２２と、を有する。雌接地側接触部２２１は、第１雌接地側接触点２２１１を有するｎ形の第１雌接地側可撓部２２１４と、第２、第３雌接地側接触点２２１２，２２１３を有するｎ形の第２雌接地側可撓部２２１５と、第１雌接地側可撓部２２１４と第２雌接地側可撓部２２１５とを連接する雌接地側連接部２２１６と、を有する。第１雌接地側可撓部２２１４には、雌側端子溝１１４と係合する複数の雌接地側クリック部２２１７が設けられる。第１雌接地側可撓部２２１４は、第２雌側側壁１１２の内側に当接する。
【００１２】
雌側信号端子２１は、雌側スロット１１３に向かって露出される雌信号側接触部２１１と、雌信号側接触部２１１から延在し、第２雌側側壁１１２から延出する一つの雌信号側半田接続部２１２と、を有する。雌信号側接触部２１１は、第１雌信号側接触点２１１１を有する第１雌信号側可撓部２１１４と、第２、第３雌信号側接触点２１１２，２１１３を有する第２雌信号側可撓部２１１５と、第１雌信号側可撓部２１１４と第２雌信号側可撓部２１１５とを連接する雌信号側連接部２１１６と、を有する。第１雌信号側可撓部２１１４には、雌側端子溝１１４と係合する複数の雌信号側クリック部２１１７が設けられる。第１雌信号側可撓部２１１４は、第２雌側側壁１１２に当接する。
【００１３】
各雌側端子グループにおいて、一つの雌接地側半田接続部２２２が、第１雌側側壁１１１から延出し、一つの雌接地側半田接続部２２２及び二つの雌信号側半田接続部２１２が、第２雌側側壁１１２から延出する。
【００１４】
第１回路基板２０には、複数の半田接続片グループ２０１が設けられる。各半田接続片グループは、雌側接地端子２２の一対の雌側接地側半田接続部２２２の間の距離に対応する寸法で設置される一つの接地側半田接続片２０１１と、二つの雌側信号端子２１に対応する二つの信号側半田接続片２０１２と、を備える。信号側半田接続片２０１２は、接地側半田接続片２０１１より短い。
【００１５】
前記雄コネクタ１０は、雄側本体３１と、複数の雄側端子グループと、を備える。雄側本体１１は、縦方向に沿って延在する第１雄側側壁３１１と、第２雄側側壁３１２と、第１雄側側壁３１１と第２雄側側壁３１２との間に形成される雄側スロット３１３と、縦方向と直交する横方向に沿って延在し、雄側スロット３１３に連通する複数の雄側端子溝３１４と、を有する。雄コネクタ３０の雄側本体３１は、第２雄側側壁３１２に連接される雄側階段部３１５を備える。第１雄側側壁３１１には、雄側階段部３１５に隣接する雄側傾斜面３１６が設けられる。第２雄側側壁３１１には雄側階段部３１５に隣接する雄側導入面３１７が設けられる。
【００１６】
各雄側端子グループは、一つの雄側接地端子４２と、雄側接地端子４２と同じ側に配置される一対の雄側信号端子４１と、を有する。雄側接地端子４２は、雄側スロット４１３に向かって露出される雄接地側接触部４２１と、雄接地側接触部４２１の対向する両側から延在し、第１雄側側壁３１１及び第２雄側側壁３１２から延出する一対の雄接地側半田接続部４２２と、を有する。雄接地側接触部４２１は、第１雄接地側接触点４２１１を有するｎ形の第１雄接地側可撓部４２１４と、第２、第３雄接地側接触点４２１２，４２１３を有するｎ形の第２雄接地側可撓部４２１５と、第１雄接地側可撓部４２１４と第２雄接地側可撓部４２１５とを連接する雄接地側連接部４２１６と、を有する。第１雄接地側可撓部４２１４には、雄側端子溝４１４と係合する複数の雄接地側クリック部４２１７が設けられる。第１雄接地側可撓部４２１４は、第２雄側側壁３１２に当接する。
【００１７】
雄側信号端子４１は、雄側スロット４１３に向かって露出される雄信号側接触部４１１と、雄信号側接触部４１１から延在し、第２雄側側壁３１２から延出する一つの雄信号側半田接続部４１２と、を有する。雄信号側接触部４１１は、第１雄信号側接触点４１１１を有する第１雄信号側可撓部４１１４と、第２、第３雄信号側接触点４１１２，４１１３を有する第２雄信号側可撓部４１１５と、第１雄信号側可撓部４１１４と第２雄信号側可撓部４１１５と、を連接する雄信号側連接部４１１６と、を有する。第１信号側可撓部４１１４には、雄側端子溝４１４と係合する複数の雄信号側クリック部４１１７が設けられる。第１雄信号側可撓部４１１４は、第２雄側側壁３１２の内側に当接する。
【００１８】
各雄側端子グループにおいて、一つの雄接地側半田接続部４２２が、第１雄側側壁３１１から延出し、一つの雄接地側半田接続部４２２と二つの雄信号側半田接続部４１２とが、第２雄側側壁３１２から延出する。
【００１９】
雌コネクタ１０が雄コネクタ３０と嵌合する時、第１雄側側壁３１１が雌側スロット１１３に収納される。雄側階段部３１５が雌側階段部１１５と係合する。雌側傾斜面１１６と、雌側導入面１１７と、雄側傾斜面３１６と、雄側導入面３１７とによって、誤嵌合を防止することができる。
【００２０】
第１雌信号側接触点２１１１、第２雌信号側接触点２１１２、第３雌信号側接触点２１１３はそれぞれ、第３雄信号側接触点４１１３、第２雄信号側接触点４１１２、第１雄信号側接触点４１１１と接触する。第１雌接地側接触点２２１１、第２雌接地側接触点２２１２、第３雌接地側接触点２２１３はそれぞれ、第３雄接地側接触点４２１３、第２雄接地側接触点４２１２、第１雄接地側接触点４２１１と接触する。
【００２１】
各雌側接地端子２２には、一対の雌接地側半田接続部２２２が設置される。一つの雌接地側半田接続部に比べて、一対の雌接地側半田接続部２２２は、第２回路基板４０に更に固着される。一つの雄接地側半田接続部に比べて、一対の雄接地側半田接続部４２２は、第１回路基板２０に更に固着される。
【００２２】
以上、本発明について好ましい実施形態を参照して詳細に説明したが、実施形態はあくまでも例示的なものであり、これらに限定されるものではない。また上述の説明は、本発明に基づき成し得る細部の修正或いは変更などは、いずれも本発明の技術的範囲に属するものである。
【符号の説明】
【００２３】
１００  コネクタ組立体
１０  雌コネクタ
１１  雌側本体
１１１  第１雌側側壁
１１２  第２雌側側壁
１１３  雌側スロット
１１４  雌側端子溝
１１５  雌側階段部
１１６  雌側傾斜面
１１７  雌側導入面
１２  雌側取付部
２０  第１回路基板
２０１  半田接続片グループ
２０１１  接地側半田接続片
２０１２  信号側半田接続片
２  雌側端子
２１  雌側信号端子
２１１  雌信号側接触部
２１２  雌信号側半田接続部
２１１１  第１雌信号側接触点
２１１２  第２雌信号側接触点
２１１３  第３雌信号側接触点
２１１４  第１雌信号側可撓部
２１１５  第２雌信号側可撓部
２１１６  雌信号側連接部
２１１７  雌信号側クリック部
２２  雌側接地端子
２２１  雌接地側接触部
２２１１  第１雌接地側接触点
２２１２  第２雌接地側接触点
２２１３  第３雌接地側接触点
２２１４  第１雌接地側可撓部
２２１５  第２雌接地側可撓部
２２１６  雌接地側連接部
２２１７  雌接地側クリック部
２２２  雌接地側半田接続部
３０  雄コネクタ
３１  雄側本体
３１１  第１雄側側壁
３１２  第２雄側側壁
３１３  雄側スロット
３１４  雄側端子溝
３１５  雄側階段部
３１６  雄側傾斜面
３１７  雄側導入面
３２  雄側取付部
４０  第２回路基板
４  雄側端子
４１  雄側信号端子
４１１  雄信号側接触部
４１２  雄信号側半田接続部
４１１１  第１雄信号側接触点
４１１２  第２雄信号側接触点
４１１３  第３雄信号側接触点
４１１４  第１雄信号側可撓部
４１１５  第２雄信号側可撓部
４１１６  雄信号側連接部
４１１７  雄信号側クリック部
４１３  雄側スロット
４１４  雄側端子溝
４２  雄側接地端子
４２１  雄接地側接触部
４２１１  第１雄接地側接触点
４２１２  第２雄接地側接触点
４２１３  第３雄接地側接触点
４２１４  第１雄接地側可撓部
４２１５  第２雄接地側可撓部
４２１６  雄接地側連接部
４２１７  雄接地側クリック部
４２２  雄接地側半田接続部
【図１】
2015211031.tif 000003
【図２】
2015211031.tif 000004
【図３】
2015211031.tif 000005
【図４】
2015211031.tif 000006
【図５】
2015211031.tif 000007
【図６】
2015211031.tif 000008
【図７】
2015211031.tif 000009